(57)【要約】【課題】保持器の両面側で軸受空間に充填される固体潤滑組成物が保持器から脱落しないようにすることである。【解決手段】円筒状の保持器２の各柱部２ａに、その両面に貫通する貫通部としての孔６を設け、この孔６に充填される固体潤滑組成物５で、保持器２の外周と内周の両面側に充填された固体潤滑組成物５を一体に結合することにより、固体潤滑組成物５が保持器２から脱落しないようにした。【選択図】図１
2010065752.tif 000002
【特許請求の範囲】
【請求項１】
転動体としての複数のころを、円周方向に複数の柱部で区画された保持器のポケットに保持し、前記保持器の両面側に形成される軸受空間に、超高分子量樹脂粉末と潤滑グリースとの混合物を焼成した固体潤滑組成物を充填したころ軸受において、前記保持器の柱部の両面に貫通する貫通部を設け、この柱部の貫通部に充填される前記固体潤滑組成物で、前記保持器の両面側に充填された固体潤滑組成物を一体に結合したことを特徴とするころ軸受。
【請求項２】
前記貫通部を少なくとも１つの前記柱部の複数箇所に設けた請求項１に記載のころ軸受。
【請求項３】
前記貫通部を全ての前記柱部に設けた請求項１または２に記載のころ軸受。
【請求項４】
前記保持器を樹脂製のものとした請求項１乃至３のいずれかに記載のころ軸受。
【請求項５】
前記ころ軸受が、前記保持器を円筒状または円錐筒状とし、その円周方向に複数の柱部で区画したポケットに前記ころを保持したラジアル型ころ軸受である請求項１乃至４のいずれかに記載のころ軸受。
【請求項６】
前記ころ軸受が、前記保持器を円板状とし、その円周方向に複数の柱部で放射状に区画されたポケットに前記ころを保持したスラスト型ころ軸受である請求項１乃至４のいずれかに記載のころ軸受。
【請求項７】
前記ころ軸受が、前記ころが転動する軌道輪を有さないものである請求項１乃至６のいずれかに記載のころ軸受。
【発明の詳細な説明】
【技術分野】
【０００１】
本発明は、軸受空間に超高分子量樹脂粉末と潤滑グリースとの混合物を焼成した固体潤滑組成物を充填したころ軸受に関する。
【背景技術】
【０００２】
転動体としての複数のころを、円周方向に複数の柱部で区画された保持器のポケットに保持したころ軸受には、保持器の両面側の軸受空間に超高分子量樹脂粉末と潤滑グリースとの混合物を焼成した固体潤滑組成物を充填し、軸受空間のシール部材を装着しなくても、潤滑剤の外部への漏れや、外部からの異物の侵入を防止できるようにしたものがある（例えば、特許文献１参照）。
【０００３】
特許文献１に記載されたものは、保持器を円筒状とし、その円周方向に複数の柱部で区画したポケットにころを保持したラジアル型ころ軸受であり、前記固体潤滑組成物は、保持器の外周と内周の両面側の軸受空間に、フルに充填されている。保持器の両面側の軸受空間に部分的に充填したものもある。なお、保持器を円板状とし、その円周方向に複数の柱部で放射状に区画されたポケットにころを保持したスラスト型ころ軸受では、固体潤滑組成物は、円板状の保持器の両面側の軸受空間に、フルまたは部分的に充填される。
【０００４】
【特許文献１】特開２０００−１０４７４６号公報
【発明の開示】
【発明が解決しようとする課題】
【０００５】
特許文献１に記載されたように、保持器の両面側の軸受空間に固体潤滑組成物を充填したころ軸受は、固体潤滑組成物が強固に保持器に結合されず、保持器から脱落しやすい問題がある。このため、脱落した固体潤滑組成物が異物となり、急激なトルク上昇や温度上昇を引き起こす恐れがある。また、軸や軸孔の表面をころが転動する軌道面とし、内輪および外輪の軌道輪を有さないころ軸受では、搬送時や組み込み時に固体潤滑組成物が保持器から脱落する恐れもある。
【０００６】
そこで、本発明の課題は、保持器の両面側で軸受空間に充填される固体潤滑組成物が保持器から脱落しないようにすることである。
【課題を解決するための手段】
【０００７】
上記の課題を解決するために、本発明は、転動体としての複数のころを、円周方向に複数の柱部で区画された保持器のポケットに保持し、前記保持器の両面側に形成される軸受空間に、超高分子量樹脂粉末と潤滑グリースとの混合物を焼成した固体潤滑組成物を充填したころ軸受において、前記保持器の柱部の両面に貫通する貫通部を設け、この柱部の貫通部に充填される前記固体潤滑組成物で、前記保持器の両面側に充填された固体潤滑組成物を一体に結合した構成を採用した。
【０００８】
すなわち、保持器の柱部の両面に貫通する貫通部を設け、この柱部の貫通部に充填される固体潤滑組成物で、保持器の両面側に充填された固体潤滑組成物を一体に結合することにより、固体潤滑組成物が保持器から脱落しないようにした。なお、柱部の貫通部は、孔や端面の切欠きとすることができる。
【０００９】
前記貫通部を少なくとも１つの前記柱部の複数箇所に設けることにより、保持器の両面側の固体潤滑組成物をより強固に結合することができる。
【００１０】
前記貫通部を全ての前記柱部に設けることにより、保持器の両面側の固体潤滑組成物を保持器の円周方向で満遍なく結合することができる。
【００１１】
前記保持器を樹脂製のものとすることにより、射出成形等により貫通部を容易に形成することができる。
【００１２】
前記ころ軸受は、前記保持器を円筒状または円錐筒状とし、その円周方向に複数の柱部で区画したポケットに前記ころを保持したラジアル型ころ軸受とすることができる。
【００１３】
前記ころ軸受は、前記保持器を円板状とし、その円周方向に複数の柱部で放射状に区画されたポケットに前記ころを保持したスラスト型ころ軸受とすることができる。
【００１４】
上述した各ころ軸受は、前記ころが転動する軌道輪を有さないものに好適である。
【発明の効果】
【００１５】
本発明のころ軸受は、保持器の柱部の両面に貫通する貫通部を設け、この貫通部に充填される固体潤滑組成物で、保持器の両面側に充填された固体潤滑組成物を一体に結合したので、固体潤滑組成物が保持器から脱落しないようにすることができる。
【発明を実施するための最良の形態】
【００１６】
以下、図面に基づき、本発明の実施形態を説明する。図１および図２は、第１の実施形態を示す。このころ軸受は、図１（ａ）、（ｂ）に示すように、円筒状の保持器２の円周方向に複数の柱部２ａで区画したポケット３に複数の針状ころ４を保持した軌道輪を有さないラジアル型針状ころ軸受１であり、保持器２の外周側に配置されるハウジングの軸孔Ａと、保持器２の内周側に配置される回転軸Ｂとの間に形成される軸受空間に、超高分子量樹脂粉末としての超高分子量ポリオレフィン粉末と潤滑グリースとの混合物を焼成した固体潤滑組成物５がフルに充填されている。
【００１７】
前記保持器２は射出成形で形成された樹脂製のものとされ、図２に示すように、各柱部２ａには貫通部としての孔６が１つずつ設けられており、図１に示したように、保持器２の外周と内周の両面側に充填された固体潤滑組成物５が、各孔６に充填された固体潤滑組成物５で一体に結合されている。したがって、保持器２からの固体潤滑組成物５の脱落が防止される。
【００１８】
図３（ａ）、（ｂ）、（ｃ）は、それぞれ前記保持器２の変形例を示す。（ａ）の変形例は、各柱部２ａに貫通部として小さい孔６を３つずつ設けたもの、（ｂ）の変形例は、各柱部２ａの片側に貫通部として円弧状の切欠き７を１つずつ設けたもの、（ｃ）の変形例は、各柱部２ａの両側に円弧状の切欠き７を２つずつ、合計４つずつ設けたものである。
【００１９】
図４および図５は、第２の実施形態を示す。このころ軸受は、図４に示すように、円板状の保持器１２の円周方向に複数の柱部１２ａで放射状に区画したポケット１３に複数の針状ころ１４を保持した軌道輪を有さないスラスト型針状ころ軸受１１であり、保持器１２の両面側に形成される軸受空間に、前記固体潤滑組成物５がフルに充填されている。
【００２０】
前記保持器１２は鋼板で形成され、図５に示すように、各柱部１２ａには貫通部としての大小の孔６が１つずつ、合計２つずつ設けられ、図４に示したように、保持器１２の両面側に充填された固体潤滑組成物５が、各孔６に充填された固体潤滑組成物５で一体に結合されている。したがって、この実施形態でも、保持器１２からの固体潤滑組成物５の脱落が防止される。
【００２１】
上述した各実施形態では、ころ軸受を軌道輪のないラジアル型とスラスト型の針状ころ軸受としたが、本発明に係るころ軸受は、円筒ころ軸受や円錐ころ軸受とすることもでき、内輪と外輪の両方の軌道輪を有するものや、内輪と外輪の一方の軌道輪を有するものにも適用することができる。
【００２２】
また、上述した各実施形態では、固体潤滑組成物を保持器の両面側の軸受空間にフルに充填したものとしたが、両面側の軸受空間に部分的に充填したものとすることもできる。
【００２３】
さらに、上述した各実施形態では、保持器の全ての柱部に孔や切欠きの貫通部を設け、孔を丸孔、切欠きを円弧状のものとしたが、貫通部は一部の柱部に間引きして設けることもでき、貫通部の孔や切欠きの形状と個数は、柱部が強度不足とならない範囲で任意に設計することができる。
【図面の簡単な説明】
【００２４】
【図１】ａは第１の実施形態のころ軸受を示す縦断面図、ｂはａのＩ−Ｉ線に沿った断面図
【図２】図１の保持器の展開平面図
【図３】ａ、ｂ、ｃは、それぞれ図２の保持器の変形例を示す展開平面図
【図４】第２の実施形態のころ軸受を示す縦断面図
【図５】図４の保持器を示す平面図
【符号の説明】
【００２５】
１、１１  針状ころ軸受
２、１２  保持器
２ａ、１２ａ  柱部
３、１３  ポケット
４、１４  針状ころ
５  固体潤滑組成物
６  孔
７  切欠き
【図１】
2010065752.tif 000003
【図２】
2010065752.tif 000004
【図３】
2010065752.tif 000005
【図４】
2010065752.tif 000006
【図５】
2010065752.tif 000007